(57)【要約】      （修正有）【課題】従来の大型温室の構造強度を維持し得る大型温室の簡潔な軸組み構造、新規のフィルム固定装置、新規の温室の結露水排出構造を提供すること。【解決手段】適宜間隔で立設された柱２と、間口方向の柱同士を連結固定する梁３と、棟方向の柱同士並びに梁中間点同士を連結固定する谷樋４と、棟木５と、一端を谷樋に他端を棟木に連結固定された垂木６とから軸組構造が構成され、屋根面及び壁面にフィルムが展張された多連棟型耐候性温室であって、谷樋４は、その側壁上部に垂木端部とフィルム締着具とを固定する固定装置を具備しており、この固定装置は、フィルム締着具を谷樋内面との間に間隙を設けて抱持し、屋根面に展張されたフィルム内面を伝わる結露水を谷樋内に排出する一方、谷樋下方全長に亘って谷樋外面を伝わる結露水を誘導する結露水誘導樋が配設されたものとした。【選択図】        図１
2004344174.tif 000002
【特許請求の範囲】
【請求項１】
適宜間隔で立設された柱と、間口方向の柱同士を連結固定する梁と、棟方向の柱同士並びに梁中間点同士を連結固定する谷樋と、棟木と、一端を前記谷樋に他端を前記棟木に連結固定された垂木とより構成され、前記垂木は、前記柱同士の間隔より小さな間隔で多数設けられ、前記谷樋は、その側壁上部に前記垂木材の端部を固定する固定手段を具備してなる多連棟型耐候性温室の軸組構造。
【請求項２】
適宜間隔で立設された柱と、間口方向の柱同士を連結固定する梁と、棟方向の柱同士並びに梁中間点同士を連結固定する谷樋と、棟木と、一端を前記谷樋に他端を前記棟木に連結固定された垂木とから軸組構造が構成され、屋根面及び壁面にフィルムが展張された多連棟型耐候性温室であって、前記谷樋は、その側壁上部に前記垂木端部とフィルム締着具とを固定する固定装置を具備しており、前記谷樋下方全長に亘って谷樋外面を伝わる結露水を誘導する結露水誘導樋が配設されてなる多連棟型耐候性温室。
【請求項３】
適宜間隔で立設された柱と、間口方向の柱同士を連結固定する梁と、棟方向の柱同士並びに梁中間点同士を連結固定する谷樋と、棟木と、一端を前記谷樋に他端を前記棟木に連結固定された垂木とから軸組構造が構成され、屋根面及び壁面にフィルムが展張された多連棟型耐候性温室であって、前記谷樋は、その側壁上部に前記垂木材の端部とフィルム締着具とを固定する固定装置を具備しており、該固定装置は、前記フィルム締着具を前記谷樋内面との間に間隙を設けて抱持し、前記屋根面に展張されたフィルム内面を伝わる結露水を前記谷樋内に排出する結露水排出構造を有する多連棟型耐候性温室。
【発明の詳細な説明】
【技術分野】
【０００１】
本発明は、植物を栽培する多連棟型耐候性温室、特にその軸組構造と、結露水排出構造と、フィルム固定装置と、ウィングのヒンジ構造に関するものである。
【背景技術】
【０００２】
従来、図１１に示すように、植物を栽培する大型温室の軸組構造３１としては、地面に立設された柱材３２と、該柱材３２の上端に固定された合掌材３３と、該合掌材３３の頂点に固定された棟木３５と、該棟木３５と平行して前記合掌材３３上に複数本固定された母屋材３４とから大型温室の軸組構造を構成するものが広く知られている。
【０００３】
また、大型温室の屋根に降り注ぐ雨水を効果的に排水処理するため、前記合掌材両端部位いわゆる谷間に、通常前記母屋材に沿って樋を設ける例が多い。
【０００４】
この従来の大型温室の軸組構造は、鉛直荷重と合掌材方向の水平荷重は、基本的には合掌材と柱材とで支えられ、棟木方向の水平荷重は、基本的には棟木で支えられる。
しかし実際には、前記合掌材は倒く字状の重量物であるので、合掌材と柱材で構成される門型アーチの重心が高い関係から、棟木方向の水平荷重に対抗するためには棟木のみでは強度的に不足するので、棟木と平行して多数の母屋材を設けている。
【０００５】
また、従来の大型温室では、前記母屋材３４上に前記合掌材３３と平行して垂木材３６が設けられている。
しかしこの垂木材３６は、大型温室の軸組構造材としてはほとんど機能していない。
【０００６】
このように、従来の大型温室は、強度的には満足できるものであるが、このものを建築するに当たっては、多くの種類の部材を事前に製作準備し、これら部材を建築現場まで運搬した上で多数の部材を組立加工する必要がある。
こうした実状から、大型温室の築造には多くの手間とコストが掛かるという欠点があった。
【０００７】
他方、上記したものとは別の大型温室（図示せず）、いわゆるダッチライト型といわれる棟木と母屋材と垂木とからなる屋根材が梁間に複数（２個の例が多い）構築される大型温室が、我が国において広く普及しているが、このタイプのものは、屋根材が構造材で構成されていないのでその強度が不足しているため、屋根材に強風、降雨、降雪、地震等によるある程度以上の荷重が掛かると屋根部が倒壊するという事例も発生している。
栽培者はこのような温室内では安心して作業に従事できないという問題もあった。
【特許文献１】特開平７−９９８４３号公報
【発明の開示】
【発明の効果】
【０００８】
請求項１に係る発明によれば、多連棟型耐候性温室の軸組構造を、適宜間隔で立設された柱材と、間口方向の柱材同士を連結固定する梁材と、棟方向の柱材同士を連結固定する谷樋と、棟木と、一端を前記谷樋に他端を前記棟木に連結固定された垂木材とより構成し、垂木材を、前記柱材同士の間隔より小さな間隔で多数設けるとともに、谷樋を、その側壁上部に前記垂木材の端部を固定する固定手段を具備したから、母屋材を不要とできて、事前に製作準備すべき部材の種類と、部材使用量を削減するとともに、従来の多連棟型耐候性温室の構造強度を維持し得る多連棟型耐候性温室の簡潔な軸組み構造を提供することができる。
【０００９】
請求項２に係る発明によれば、多連棟型耐候性温室の構造材としての谷樋下方全長に亘って谷樋外面を伝わる結露水を誘導する結露水誘導樋を配設したので、谷樋外面を伝わる結露水を完全に温室外へ誘導することができる。
【００１０】
請求項３に係る発明によれば、谷樋はその側壁上部に垂木材の端部とフィルム締着具とを固定する固定装置を具備し、該固定装置はフィルム締着具を谷樋内面との間に間隙を設けて抱持する結露水排出構造としたから、屋根面に展張されたフィルム内面を伝わる結露水を確実に谷樋内に排出することができる。
請求項４に係る発明によれば、フィルム締着具固定装置を、上方に向かって湾曲する底板と、該底板両端部から上方に向かって拡開した側壁と、該側壁上端からフィルム締着具の外側壁を抱持する包持板とから構成したから、上方に向かって湾曲する底板が自然状態にあるときは図５左図のように無理なくフィルム締着具を挿入することができ、緊締具の締め付けにより平面とされたときには、この抱持板がフィルム締着具の外側壁を確実に抱持することができる。
請求項５に係る発明によれば、フィルム締着具固定装置を、上方に向かって湾曲する底板が緊締具の締め付けにより平面とされたとき、一方の側壁上端から底板の平面と平行する延長舌片が形成されたものとしたから、１つの固定装置で谷樋に沿って棟方向に伸びるフィルム締着具と、垂木材に沿って間口方向に伸びるフィルム締着具とを確実に固定することができる。
【発明が解決しようとする課題】
【００１１】
以上の実状に鑑み本発明は前記従来技術の欠点を克服すべく、事前に製作準備すべき各種部材の種類と使用部材の量を削減するとともに、従来の大型温室の構造強度を維持し得る大型温室の簡潔で多様性に富んだ軸組構造を提供することを目的とするものである。
【００１２】
併せて、大型温室の張設すべきフィルムを温室に固定するための新規のフィルム固定装置、新規の温室の結露水排出構造及び新規のウィングのヒンジ構造を提供することを目的とする。
【課題を解決するための手段】
【００１３】
本発明は、多連棟型耐候性温室の軸組構造として、
それぞれの長さについてモジュール化された柱、梁、谷樋、棟木及び垂木より構成され、前記棟木と前記垂木とからなる屋根軸組が梁間に複数構築される多連棟型耐候性温室の軸組構造であって、前記垂木と谷樋は同一長さモジュールの中で更にその棟方向正面視形状についてもモジュール化されており、これら柱、梁、谷樋、棟木及び垂木が長さ及び形状についてのモジュールが選択されて構築されてなる多連棟型耐候性温室の軸組構造とした。
【００１４】
また、多連棟型耐候性温室の軸組構造として、
適宜間隔で立設された柱と、間口方向の柱同士を連結固定する梁と、棟方向の柱同士並びに梁中間点同士を連結固定する谷樋と、棟木と、一端を谷樋に他端を棟木に連結固定された垂木とより構成され、垂木は、柱同士の間隔より小さな間隔で多数設けられ、谷樋は、その側壁上部に垂木材の端部を固定する固定手段を具備するものとした。
【００１５】
本発明は、多連棟型耐候性温室の結露水排出構造として、
適宜間隔で立設された柱と、間口方向の柱同士を連結固定する梁と、棟方向の柱同士並びに梁中間点同士を連結固定する谷樋と、棟木と、一端を谷樋に他端を棟木に連結固定された垂木とから軸組構造が構成され、屋根面及び壁面にフィルムが展張された多連棟型耐候性温室であって、谷樋は、その側壁上部に垂木端部とフィルム締着具とを固定する固定装置を具備しており、谷樋下方全長に亘って谷樋外面を伝わる結露水を誘導する結露水誘導樋が配設されたものとした。
【００１６】
また、多連棟型耐候性温室の結露水排出構造として、
適宜間隔で立設された柱と、間口方向の柱同士を連結固定する梁と、棟方向の柱同士並びに梁中間点同士を連結固定する谷樋と、棟木と、一端を谷樋に他端を棟木に連結固定された垂木とから軸組構造が構成され、屋根面及び壁面にフィルムが展張された多連棟型耐候性温室であって、谷樋は、その側壁上部に垂木材の端部とフィルム締着具とを固定する固定装置を具備しており、この固定装置は、フィルム締着具を谷樋内面との間に間隙を設けて抱持し、屋根面に展張されたフィルム内面を伝わる結露水を谷樋内に排出するものとした。
【００１７】
本発明は、温室の谷樋にフィルム締着具を固定するための固定装置として、
上方に向かって湾曲する底板と、該底板両端部から上方に向かって拡開した側壁と、該側壁上端から前記フィルム締着具の外側壁を抱持する包持板とを具備しており、前記上方に向かって湾曲する底板が緊締具の締め付けにより平面とされたとき、前記抱持板が前記フィルム締着具の外側壁を抱持するものとした。
また、前記上方に向かって湾曲する底板が緊締具の締め付けにより平面とされたとき、一方の前記側壁上端から前記底板の平面と平行する延長舌片が形成されたものとした。
【００１８】
本発明は、固定基材とウィングを連結するヒンジ構造として、
固定基材の基部から第１の方向に向かって離間して設けられた円形軸及び前記基部から第２の方向に向かって離間して設けられた規制部材とからなる雄部材と、その周壁の一部が全長に亘って切り欠かれて開口部を有する断面Ｃ字状の筒形軸受及び該筒形軸受の一方の開口端近傍から放射状に伸びさらに前記筒形軸受軸心の円弧に沿って開口部方向に向かって伸び、円弧状内面を有する案内部材とからなる雌部材とから構成するとともに、前記円形軸と前記規制部材の前記第１の方向における外面間距離が、前記筒形軸受の他方の開口端と前記案内部材先端の内面間距離より大きく、前記円形軸と前記規制部材の前記第２の方向における外面間距離が、前記筒形軸受の他方の開口端と前記案内部材先端の内面間距離より小さく設定され、前記筒形軸受けが前記円形軸廻りに、前記規制部材が案内部材の前記円弧状案内面に対向する角度範囲で回動自在に係合されてなるものとした。
【実施例１】
【００１９】
図１乃至図３に、主として請求項１乃至請求項２に係る本発明の多連棟型耐候性温室の軸組構造の実施例を示す。
図１は、本発明の棟木と垂木とからなる屋根軸組が梁間に複数構築される多連棟型耐候性温室の斜視図で、図２は、図１の屋根軸組が円弧状の垂木からなる点及び天窓を表している点で相違するもののその余の点では全く図１のものと同じである。図３は、図２の天窓が開いた状態を示す温室妻面正面図である。
これらの図において１は、棟木と垂木とからなる屋根軸組が梁間に複数構築される多連棟型耐候性温室の軸組構造の全体を示している。
以下、この多連棟型耐候性温室の軸組構造の構成要素について説明する。
２は柱材で、間口方向及び棟方向に適宜間隔をもって基礎上に立設されている。
３はトラス梁で、間口方向に柱材２上端部に固定されている。
４は本発明の特徴となす構造材である谷樋で、棟方向に柱材２上端部に固定されている。さらにこの谷樋４は、トラス梁３の柱と柱の中間位置にも谷樋束７を介して連結固定されている。
【００２０】
以上の多連棟型耐候性温室の基本的な下部構造としての軸組に、さらに上部構造としての屋根組たる棟木材５と垂木材６とが構築されている。
この実施例では、垂木材６は、多連棟型耐候性温室の隅部において密に、その他の場所ではそれよりも粗に配設してある。
この垂木材６の配置密度は、多連棟型耐候性温室全体に求められる強度、天窓の配置等に応じて設計的に決定すればよい。
【００２１】
トラス梁３の両端部には、梁自体の高さよりも長く、梁の幅と同幅の取付金具２５が溶接にて固定されている。
そして、この取付金具２５と前記柱材２には、数本のボルトを螺入するためのネジ孔が形成されている。
温室を組み上げるときには、柱材２とトラス梁３の取付金具２５とに形成された前記ネジ孔を合致させた状態でボルトを螺入して、柱材２とトラス梁３とを連結固定するものである。
また、構造材である前記谷樋４は、端部同士が柱材２上で継がれる。この実施例では、その底壁形状がＶ字状に形成されている。もちろん、単純な水平面としてもよい。
そして図６に示されるように、柱材２の頂部には、形状が谷樋４の底壁と同一で、幅及び長さが柱材２よりも大きな支持金具２３が溶接固定されている。
この支持金具２３の上に、断面谷樋４の底・側壁と同形状で長さが前記支持金具２３とほぼ同程度の接合金具２４を介在して、構造材である谷樋４の端部同士を突き合わせ状態で柱材２上端部に接合するものである。
そしてこの支持金具２３と、接合金具２４と、谷樋４には、数本のボルトを挿入するための孔が形成されているので、該孔を合致させた状態でボルトを挿入ナットを螺合して、柱材２と谷樋４の端部同士を連結固定するものである。
１１は、温室妻面に立設した妻間柱であり、１２は側胴縁、１３は柱ブレース、１４は水平ブレース、２１は竪樋、Ｈは棟高、ｈは柱高である。
【００２２】
今まで説明してきた柱材、梁材、谷樋、棟木、垂木材の長さ寸法は、例えば柱材３５００mm、４０００mm、梁材８０００mm、８２００mmのように、それぞれの構造材毎にその寸法がモジュール化されて製作準備されている。
また、垂木材については、棟木方向正面視で、直線形、上方凸状湾曲形、屈曲形等の形状についてもモジュール化されている。
すなわち、柱材、梁材、谷樋の長さ寸法が決定されて、多連棟型耐候性温室の下部軸組構造が寸法的に確定しても、その上に構築される屋根軸組についてはなお、直線形の垂木を選択して図１に示されるように鋭利な逆Ｗ字状の屋根形状とするか、上方凸状湾曲形の垂木を選択して図２，図３に示されるように丸みを帯びた逆Ｗ字状の屋根形状とするか、それとも１点屈曲形の垂木を選択して５角形の屋根形状（図示せず）とするか、自由に選択し得る余地が残されている。
【００２３】
このように本発明は、多連棟型耐候性温室の軸組構造のうち、下部軸組構造を共通するものとしながら、上部軸組構造である屋根軸組を、地域の気象条件、意匠性、コスト等に応じて自由に選択し得て、多様性に富んだものとなっている。
また、屋根組について選択肢が多く用意されていて、温室形式において多様性に富んでいながら、屋根軸組そのものがいわば屋根の構造材として機能するようにしたから、屋根材が風速力、積雪荷重等構造計算範囲内の荷重に対して充分に耐え得るものとなっている。
【００２４】
図２の図面符号６は、図１に示した直線状の垂木が上方凸状湾曲状のものに代えられたものである。
また、この多連棟型耐候性温室は、天窓２２を具備していることを図２、図３に代表的に明示したもので、この天窓２２は上端が棟木５にヒンジ結合されている。このヒンジ結合構造の詳細については後述する。
一端を天窓下端に他端をピニオンに駆動されて左右動するラック体２４に枢着された支持棒２３が天窓２２を開閉操作するものである。
なお、ラック体２４は、柱材２上方部と、トラス梁３の上弦材上に複数個固定された支持体２５と同じく上弦材中央位置に固定された谷樋束７中央部を貫通して配置されているものである。
さらに、垂木同士を接合するジョイント金具は、垂木の形状の差異に基づいて受け部の形状を変えてあるが、棟木を載置する部位の形状は共通させて、垂木の形状が異なっても棟木を変更する必要はないものとしてある。
【実施例２】
【００２５】
図４は、図３の天窓部の部分拡大図である。また図５は、天窓枠に設けられた雌部材を、棟木に設けられた雄部材に装着またはそれから離脱するときの様子を拡大して表した図である。
以下、図５を参照して、棟木と天窓のヒンジ結合構造について詳述する。
棟木５の右肩部基部には、略図面視やや左に傾斜した上方、すなわち第１の方向に向かって前記基部から一定距離離間して円形軸５２が形成されている。
前記第１の方向とは異なる方向で右方向、すなわち第２の方向に向かって前記基部から前記一定距離より短い距離離間して規制軸５３が形成されている。
この円形軸５２と規制軸５３とで雄部材が構成されている。
一方、天窓枠２２の先端には、その周壁の一部が全長に亘って切り欠かれて開口部２２７を有する断面Ｃ字状の筒形軸受２２１が形成されている。
そして案内部材２２４が、一方の開口端２２２近傍から放射状に伸びさらに前記筒形軸受軸心の円弧に沿って開口部２２７方向に向かって伸びて、円弧状内面２２６を形成している。
筒形軸受２２１の他方の開口端２２３と案内部材２２４の先端２２５の内面間距離ｌ３は、円形軸５２と規制軸５３の前記第１の方向における外面間距離ｌ１より小さく、同前記第２の方向における外面間距離ｌ２より大きく設定されている。
そして、この天窓枠２２を棟木５に装着または離脱するときは、図５に示すように、天窓枠２２を所定角度に傾斜させて、筒形軸受２２１の他方の開口端２２３と案内部材先端２２５を結ぶ線が前記第２の方向に平行する位置関係で前記第１の方向へ下降させ、その後案内部材２２４が規制部材５３に係合する方向に回転すればよい。
このように、雌部材を雄部材の前記第１の方向へ直線的に移動しその後円形軸５２廻りに回転させれば簡単に装着することができ、従来の円形軸５２方向からスライドして挿入するものに比べ、格段にその装着操作を簡素化でき、特に重量物である天窓枠を棟木に取り付ける作業を軽減し効率的な施工に資するものである。
なお、天窓枠を棟木に装着した後は、規制軸５３が案内部材２２４の円弧状内面２２６に対向する範囲内で回動するよう、天窓枠２２の動きを規制する。
このようにすれば、天窓枠２２の雌部材は棟木５の雄部材から離脱することはない。
【実施例３】
【００２６】
図７は谷樋周辺の構造を温室の妻面から見た正面図、図８は図７の一部拡大図、図９はフィルム締着具を固定するための固定装置の斜視図、図１０は固定装置の取り付け状態を説明する図である。
先ず図６を参照して、谷樋４と垂木材６との接合構造について説明する。
谷樋４はそれ自体軸組を構成する構造材で、柱材２の間を撓まずに、しかも棟木５、垂木材６及びフィルムの重量を支えるものである。したがって、それ相応の厚みを有しているものである。
この谷樋４は断面略Ｕ字状を呈しており、その側壁上部は垂木材６の傾斜角と同一となるように折曲げ加工され、さらにその先端は内方へ折曲げられて折曲先端部とされている。
【００２７】
一方、垂木材６はこの実施例では丸パイプにて構成されており、その先端は圧壊されて平板とされている。
この垂木材６の先端平板は、谷樋４の傾斜側壁外面に緊締具１８、１９にて固定されるのであるが、その際、谷樋４に沿って棟方向に伸びるフィルム締着具１７と、垂木材６に沿って間口方向に伸びるフィルム締着具１５を固定するための固定具１６を介在して固定される。
【００２８】
次いで、温室内の結露水を排水する結露水排水構造について説明する。
この固定具１６は、図４に示されるように、負荷のかからない自然状態で上方に向かって湾曲する底板と、該底板両端部から上方に向かってやや拡開した側壁と、該側壁上端からフィルム締着具の外側壁の形状に倣った形状を有する包持板とを具備している。
【００２９】
そして、緊締時に底板に負荷がかかったときに、固定具の形状が変化していく様子を図５に示したが、上方に向かって湾曲する底板が緊締具の締め付けにより平面とされたとき、前記抱持板がフィルム締着具１７の外側壁を抱持するものである。
【００３０】
また、図７においては図示を省略したが、この固定具１６は、抱持板の基底部からほぼ水平方向に伸びる延長舌片を有している。
この延長舌片は、垂木材６に沿って間口方向に伸びるフィルム締着具１５を固定するためのもので、該フィルム締着具１５の先端をネジ止めしている。
なお、図７においては予めネジ孔を形成したものを例示しているが、ドリルネジを使用する場合はネジ孔を設けないで無孔としておいてもよい。
このフィルム締着具１５は、通常棟方向に１０〜１５ｍ間隔で設置されるものである。
【００３１】
そして、温室屋根部に展張されるフィルムは、フィルム締着具１５上に沿い、フィルム締着具１７側壁上端を乗り越えて該締着具１７のあり溝内に締着される。
【００３２】
そして、フィルム締着具１７の最も外方に位置する側壁外面と、フィルム締着具１５の最下端との間には、前記固定具１６の抱持板が存在するため、間隙が形成、保持される。
そこで、谷樋４の折曲先端部をフィルム締着具１５の最下端よりも外方に位置させれば、結果的には、谷樋内面とフィルム締着具１７の最も外方に位置する側壁外面との間に間隙Ｓが形成されることとなる。
このためフィルム内面を伝わって落下してきた結露水は、谷樋４の内面とフィルム締着具１７の最も外方に位置する側壁外面との間に形成された間隙Ｓを通って谷樋４内に導かれることとなる。
【００３３】
また、谷樋４下方には、その全長に亘って谷樋外面を伝わる結露水を誘導するための結露水誘導樋２０が配設されている。
この結露水誘導樋２０は、柱材２と前記したトラス梁３上に固定された谷樋束７を貫通して設けられている。
このため、谷樋４外面を伝わる結露水についても、完全に温室外へ誘導することができるものである。
【図面の簡単な説明】
【００３４】
【図１】本発明の実施例の多連棟型耐候性温室の軸組構造を表わす鳥瞰図である。
【図２】本発明の他の実施例の軸組構造を表わす正面図である。
【図３】図２の軸組構造のみを表した正面図である。
【図４】屋根頂上を拡大した正面図である。
【図５】図５のウィングのヒンジ構造部分を拡大した正面図である。
【図６】柱上方部と梁、柱上端部と谷樋との接合構造を表す模式図である。
【図７】谷樋周辺の一部を除く軸組構造を部分的に表わす正面図である。
【図８】図７の一部拡大図である。
【図９】フィルム締着具を固定するための固定装置の斜視図である。
【図１０】固定装置の取り付け状態を説明する図である。
【図１１】従来の多連棟型耐候性温室の軸組構造を表わす図である。
【符号の説明】
【００３５】
１    多連棟型耐候性温室の全体軸組構造
２    柱材
３    梁材
４    谷樋
５    棟材
６    垂木材
７    谷樋束
１１  間口間柱
１２  側胴縁
１３  柱ブレース
１４  水平ブレース
１５、１７  フィルム締着具
１６  固定具
１８  ボルト頭
１９  ナット
２０  結露水誘導樋
２１  竪樋
２２  天窓
２３  支持金具
２４  接合金具
２５  取付金具
３１  従来の温室の全体軸組構造
３２  柱材
３３  合掌材
３４  母屋材
３５  棟材
３６  垂木材
３７  フィルム締着具
３８、３９  フィルム
５１  固定基部
５２  円形軸
５３  規制軸
２２１筒形軸受
２２４案内部材
２２７開口部
Ｓ    間隙
【図１】
2004344174.tif 000003
【図２】
2004344174.tif 000004
【図３】
2004344174.tif 000005
【図４】
2004344174.tif 000006
【図５】
2004344174.tif 000007
【図６】
2004344174.tif 000008
【図７】
2004344174.tif 000009
【図８】
2004344174.tif 000010
【図９】
2004344174.tif 000011
【図１０】
2004344174.tif 000012
【図１１】
2004344174.tif 000013